(57)【要約】【課題】  本発明は、使用済みの人工透析用穿刺針を簡易に廃棄包装することができ、かつ使用済みの人工透析用穿刺針で接触感染および飛沫感染することなく安全に廃棄することができる人工透析血液回路留置針廃棄容器を提供しようとするものである【解決手段】  本発明の人工透析血液回路留置針廃棄容器は、一体に形成された偏平角筒容器を背中合わせに剥離可能に接着し、各偏平角筒容器は先端が開口した開口部５と底蓋により封鎖された底部６とを有し、前記開口部５側の天面２をやや長めに形成し、前記天面２を偏平角筒容器の長手方向に沿って平行に切断して封緘フラップ７を形成し、該封緘フラップ７に横断方向の折目９を設けて折目に沿って直角に折り曲げて前記封緘フラップ７を底面に剥離可能に接着させたものである。  さらに、底部側の底面を偏平角筒容器の長手方向に沿って延長し、上方に台形形状に折り曲げて底部の後方に綿棒支持部１１を形成したものである。【選択図】  図３
2005230257.tif 000002
【特許請求の範囲】
【請求項１】
一体に形成された偏平角筒容器を背中合わせに剥離可能に接着し、各偏平角筒容器は先端が開口した開口部と底蓋により封鎖された底部とを有し、前記開口部側の天面をやや長めに形成し、前記天面を偏平角筒容器の長手方向に沿って平行に切断して封緘フラップを形成し、該封緘フラップに横断方向の折目を設けて折目に沿って直角に折り曲げて前記封緘フラップを底面に剥離可能に接着させたことを特徴とする人工透析血液回路留置針廃棄容器。
【請求項２】
底部側の底面を偏平角筒容器の長手方向に沿って延長し、上方に台形形状に折り曲げて底部の後方に綿棒支持部を形成したことを特徴とする請求項１記載の人工透析血液回路留置針廃棄容器。
【請求項３】
前記剥離可能な接着として、両面接着テープを使用したことを特徴とする請求項１又は２記載の人工透析血液回路留置針廃棄容器。
【発明の詳細な説明】
【技術分野】
【０００１】
本発明は、医療用注射針の廃棄容器に関し、更に詳しくは使用済みの人工透析用穿刺針で接触感染および飛沫感染することなく安全に廃棄することができる人工透析血液回路留置針廃棄容器に関する。
【背景技術】
【０００２】
人工透析を行うには、たくさんの血液を人工腎臓（ダイアライザー：血液透析器）に送る必要があり、このため動脈と静脈とを連結したシャントと呼ばれる血液の流れの多い太い血管を形成する。
そのシャントの動脈用と静脈用、すなわち送り用と戻り用の人工透析穿刺針を刺して血液を人工腎臓（ダイアライザー：血液透析器）に送り循環させて、人工透析を行なう。
医療機関においては、使用済みの注射針は所定の場所に設置した専用の廃棄用容器を設けてその中に投棄するようにしている（特許文献１を参照）。
また、使用済み注射針の指刺し事故を防止するために、注射針を挿入する鞘ケースに包装して持ち運び可能とする包装容器も公知となっている（特許文献２を参照）。
しかしながら、前記廃棄用容器の場合には設置場所が限定されており、使用済み注射針をその場所まで持ち運ばなければならず、また運ぶ途中で周囲を血液で汚す恐れがあった。
また、前記包装容器の場合には、指刺し防止のために鞘ケースへ挿入する操作が面倒であった。
【０００３】
【特許文献１】特開平０８−１６４１７２号公報
【特許文献２】特開平０８−０１９６０４号公報
【発明の開示】
【発明が解決しようとする課題】
【０００４】
本発明は、使用済みの人工透析用穿刺針を簡易に廃棄包装することができ、かつ使用済みの人工透析用穿刺針で接触感染および飛沫感染することなく安全に廃棄することができる人工透析血液回路留置針廃棄容器を提供しようとするものである。
【課題を解決するための手段】
【０００５】
上記課題を解決するために、本発明の人工透析血液回路留置針廃棄容器は、一体に形成された偏平角筒容器を背中合わせに剥離可能に接着し、各偏平角筒容器は先端が開口した開口部と底蓋により封鎖された底部とを有し、前記開口部側の天面をやや長めに形成し、前記天面を偏平角筒容器の長手方向に沿って平行に切断して封緘フラップを形成し、該封緘フラップに横断方向の折目を設けて折目に沿って直角に折り曲げて前記封緘フラップを底面に剥離可能に接着させたものである。
さらに、底部側の底面を偏平角筒容器の長手方向に沿って延長し、上方に台形形状に折り曲げて底部の後方に綿棒支持部を形成したものである。
また、上記人工透析血液回路留置針廃棄容器において、前記剥離可能な接着として、両面接着テープを使用したものである。
【発明の効果】
【０００６】
本発明の人工透析血液回路留置針廃棄容器によれば、使用済みの人工透析用穿刺針を簡易に廃棄包装することができ、かつ使用済みの人工透析用穿刺針で接触感染および飛沫感染することなく安全に廃棄することができる。
【発明を実施するための最良の形態】
【０００７】
本発明の人工透析血液回路留置針廃棄容器は、一体に形成された偏平角筒容器を背中合わせに剥離可能に接着し、各偏平角筒容器は先端が開口した開口部と底蓋により封鎖された底部とを有し、前記開口部側の天面をやや長めに形成し、前記天面を偏平角筒容器の長手方向に沿って平行に切断して封緘フラップを形成し、該封緘フラップに横断方向の折目を設けて折目に沿って直角に折り曲げて前記封緘フラップを底面に剥離可能に接着させたものである。
さらに、底部側の底面を偏平角筒容器の長手方向に沿って延長し、上方に台形形状に折り曲げて底部の後方に綿棒支持部を形成したものである。
また、本発明の人工透析血液回路留置針廃棄容器は、前記剥離可能な接着として、両面接着テープを使用したものである。
【０００８】
以下に、本発明の人工透析血液回路留置針廃棄容器の実施例を図面に基づいて説明する。
図１に示すように、厚紙、プラスチックなどの可燃性硬質材料から形成され、プラスチックの場合は一体成形するが、厚紙で形成する場合は、１枚の厚紙シートを両側から長手方向に沿った複数の折曲線に従って順に直角に折り曲げて左側面１（線対称となる側は右側面３）、天面２、右側面３（線対称となる側は左側面１）、底面４からなる隣接する偏平な２個の角筒体を一体に形成する。
各偏平角筒体には先端を開口した開口部５と底蓋により封鎖された底部６を形成して２個並列の偏平角筒容器とし、前記開口部５側の天面２をやや長めに形成し、前記天面２を偏平角筒容器の長手方向角縁に沿って平行に所定長さに切断して封緘フラップ７を形成する（図１の左側の偏平角筒容器に示す）。
前記封緘フラップ７には天面２との境界部８から側面と同一幅に相当する個所に横断方向の折目９を設けて、該折目９に沿って直角に折り曲げて前記封緘フラップ７を底面４に剥離可能に接着させる（図１の右側の偏平角筒容器に示す）。
なお、剥離可能な接着は、後述する両面接着テープＡを使用して行うことができる。
図１の右側の偏平角筒容器に示すように、前記封緘フラップ７は、底面４に剥離可能に接着されて前記開口部５に凹部が形成されると共に前記開口部５を塞ぎ、前記封緘フラップ７先端に封緘フラップ７を剥離する際の摘み部となる余剰部分１０が底面４より前方に突き出される。
一方、底部６側は、底面４を偏平角筒容器の長手方向に沿って外方に延長して延長部分を形成し、該延長部分の横断方向に平行に複数の折目線を形成し、前記折目線に従って延長部分を上方に台形形状に折り曲げて前記延長部分の先端を底蓋内に押し込んで接着固定することにより底部６後方に台形形状の綿棒支持部１１を形成する。
前記綿棒支持部１１には、上面に綿棒を挿入する丸穴１２を形成し、未使用及び使用済みの綿棒を挿入保持できるようにする。
【０００９】
次に、本発明の人工透析血液回路留置針廃棄容器の使用方法について、図面に基づいて説明する。
図１に示す２個並列の偏平角筒容器は、底面４同士が一体に連結されており、両偏平角筒容器の連結部１３を中心として図２に示すように底面４同士が重なるように、すなわち両偏平角筒容器が背中合わせになるように折り曲げることが可能である。
なお、前記両偏平角筒容器の連結部１３に予め折目線やミシン目を形成しておくと偏平角筒容器の折り曲げがより容易に行える。
図４に示すように、剥離可能な接着用の６層構造、すなわち剥離紙１４、両面接着剤付きシート１５、紙を積層した剥離紙１６、両面接着剤付きシート１７、剥離紙１８からなる両面接着テープＡを予め用意する。
そして、重ね合わせられる偏平角筒容器同士の一方（図２の上方位置の偏平角筒容器）の底面４には剥離紙１４を剥がして両面接着テープＡの両面接着剤付きシート１５の接着層を貼着し、そして前記両面接着テープＡ裏面の剥離紙１８を剥がして一方（図２の上方位置の偏平角筒容器）を他方に重ねるように閉じて他方の底面４に両面接着剤付きシート１７の接着層を貼着する。
両面接着剤付きシート１５と紙を積層した剥離紙１６の紙との接着が、紙を積層した剥離紙１６の剥離面と両面接着剤付きシート１７の接着層の接着より強力であるから、図３に示すように紙を積層した剥離紙１６と両面接着剤付きシート１７を介して両偏平角筒容器同士が背中合わせで剥離可能に接着される。
なお、紙を積層した剥離紙１６に強力接着剤を塗布して直接底面４に接着することにより、図３に示すように紙を積層した剥離紙１６と両面接着剤付きシート１７を介して両偏平角筒容器同士が背中合わせで剥離可能に接着することも可能である。
同様に、図１の左側の偏平角筒容器に示すように、封緘フラップ７には剥離紙１４を剥がして両面接着テープＡの両面接着剤付きシート１５の接着層を貼着し、そして前記両面接着テープＡ裏面の剥離紙１８を剥がして底面４に両面接着剤付きシート１７の接着層を貼着し、紙を積層した剥離紙１６と両面接着剤付きシート１７を介して封緘フラップ７と底面４が剥離可能に接着される。
このように、底面４と紙を積層した剥離紙１６及び封緘フラップ７と紙を積層した剥離紙１６とは一体となっているので、両面接着テープの剥離紙を指爪で剥がすような手間が要らず、素早く開口することができる。
【００１０】
人工透析が終了した際には、携帯可能にコンパクトに折り畳まれた図３に示す人工透析血液回路留置針廃棄容器は剥離可能に接着されているので、図２に示すように２つに分離し、さらに図１に示すように２個並列になるように展開する。
展開された２個並列の人工透析血液回路留置針廃棄容器の底面４に貼着された両面接着剤付きシート１７は、展開により剥離紙１８を剥がした後にベッドのシーツやテーブル等に粘着させ、移動しないように固定することができる。
次に、封緘フラップ７の余剰部分１０に指を掛け、上方に封緘フラップ７を持ち上げて両面接着テープＡから封緘フラップ７と共に紙を積層した剥離紙１６を両面接着剤付きシート１７の接着層から剥がし、封緘フラップ７を図１の左側の偏平角筒容器に示す如く開口部５を開口する。
封緘フラップ７と紙を積層した剥離紙１６とは一体となっているので、両面接着テープの剥離紙を指爪で剥がすような手間が要らず、素早く開口部５を開口することができる。
そして、人工透析穿刺針を偏平角筒容器内に開口部５から針先を先頭にして挿入し、挿入後に前記封緘フラップ７を折り曲げて境界部８と折目９との間の部分で人工透析穿刺針を押さえ込む一方、底面４に貼付された両面接着テープＡの両面接着剤付きシート１７の接着層で人工透析穿刺針を接着固定する。
人工透析の場合には、人工透析穿刺針が２本必要であるから、図１に示すように偏平角筒容器が２個並列に備えてあることにより、人工透析穿刺針の挿入が簡単に行うことができる。
このように、人工透析穿刺針を両面接着剤付きシート１７の接着層で偏平角筒容器に固定できるので、人工透析穿刺針は偏平角筒容器から脱落することが無い。
なお、前記偏平角筒容器の内面には吸水材（図示せず）を貼設することにより、人工透析穿刺針に残っている血液を吸水材に吸収させることもできる。
さらに、綿棒支持部１１を備えているので、前処理及び後処理に使用した使用済み綿棒を丸穴１２に挿入支持させることができ、そのまま人工透析穿刺針や血液回路と一緒に廃棄することができる。
【図面の簡単な説明】
【００１１】
【図１】本発明の偏平角筒容器を展開した状態の斜視図である。
【図２】本発明の偏平角筒容器を半開した状態の斜視図である。
【図３】本発明の偏平角筒容器を重ね合わせた状態の斜視図である。
【図４】本発明の両面接着テープＡの斜視図である。
【符号の説明】
【００１２】
１  左側面
２  天面
３  右側面
４  底面
５  開口部
６  底部
７  封緘フラップ
８  境界部
９  折目
１０  余剰部分
１１  綿棒支持部
１２  丸穴
１３  連結部
１４  剥離紙
１５  両面接着剤付きシート
１６  紙を積層した剥離紙
１７  両面接着剤付きシート
１８  剥離紙
【図１】
2005230257.tif 000003
【図２】
2005230257.tif 000004
【図３】
2005230257.tif 000005
【図４】
2005230257.tif 000006